(57)【要約】【課題】本発明は、濡れた傘から滴る雨水を確実に回収して不用意な漏水を防止するとともに必要に応じて簡単に排水することができる傘用雨水回収具を提供することを目的とするものである。【解決手段】雨水回収具１は、傘の石突側中棒が挿着される取付管３と、取付管３を中心軸に沿って内設し雨水の捕集面部２２を備えた筒状の雨水回収容器２と、捕集面部２２に穿設された雨水流入口２３に設けられるとともに重力により弁体５４が開閉する回収弁機構５０と、外面部２４に穿設された雨水排水口２５に設けられるとともに弁体６２が常時閉じた状態に付勢される排水弁機構６０とを備え、回収弁機構５０の弁体５４が閉じた状態で雨水回収容器２を圧縮変形させて内部の空気圧を高めることで排水弁機構６０の弁体６２が付勢力に抗して開いた状態となって排水される。【選択図】図２
2008284123.tif 000002
【特許請求の範囲】
【請求項１】
傘の石突側中棒が挿着される硬質材料からなる直管状の取付管と、前記取付管を中心軸に沿って内設するとともに中棒が挿着される側の端面が雨水の捕集面に形成された軟質材料からなる筒状の雨水回収容器と、前記雨水回収容器の前記捕集面に穿設された雨水流入口に設けられるとともに重力により弁体が開閉する回収弁機構と、前記捕集面とは反対側の端面に穿設された雨水排水口に設けられるとともに弁体が常時閉じた状態に付勢される排水弁機構とを備え、前記回収弁機構の前記弁体が閉じた状態で前記雨水回収容器を圧縮変形して内部の空気圧を高めることで前記排水弁機構の前記弁体が付勢力に抗して開いた状態となって排水されることを特徴とする傘用雨水回収具。
【請求項２】
前記回収弁機構は、前記弁体を一端部に支持するとともに他端部に錘体が当接する当接部が形成された支持バーと、前記当接部との間で前記錘体を挟持するとともに前記錘体が自重により移動して所定位置に保持される受け部とを備えていることを特徴とする請求項１に記載の傘用雨水回収具。
【請求項３】
前記排水弁機構の前記弁体は、前記雨水回収容器の中心軸とほぼ直交する方向に移動可能となるように設けられていることを特徴とする請求項１又は２に記載の傘用雨水回収具。
【請求項４】
前記雨水回収容器の前記捕集面を囲むように設けられるとともに中心軸に沿って移動可能に取り付けられた筒状のカバー体を備えていることを特徴とする請求項１から３のいずれかに記載の傘用雨水回収具。
【発明の詳細な説明】
【技術分野】
【０００１】
本発明は、雨天時に濡れた傘を閉じた際に傘から滴る雨水を回収するための傘用雨水回収具に関する。
【背景技術】
【０００２】
雨天時にバスや電車等の公共交通機関に乗車する際に閉じた傘から雨水が滴って床を濡らしたり、隣の人の衣服を濡らしてしまうおそれがある。また、ショッピングセンター等の大勢の人が行き来する場所においても閉じた傘から滴る雨水より床が濡れて滑るといった問題がある。
【０００３】
そのため雨天時には入口に傘立てを設置したり、閉じた傘を収納するためのビニル袋を配布するといった対策が採られている。しかしながら、傘立てに傘を置いておくことは盗難のおそれがあり、また傘の置き忘れの可能性がある。ビニル袋に収納して傘を携帯すれば置き忘れの可能性はなくなるが、傘を収納する際に手が濡れてしまうため利用を手控えられてしまい、またビニル袋が使い捨てされてゴミが増えるといった問題もある。
【０００４】
こうしたことから、傘自体に雨水回収具を取り付けて傘から滴る雨水を回収することが提案されている。例えば、特許文献１では、傘の先端部にストッカを取り付けて先端部から滴る雨水を回収し、回収した雨水を傘の開く動作に連動して開閉弁を開き、排出口から排水するようにした点が記載されている。また、特許文献２では、傘の先端部に取り付ける雨水収集装置の内部に２つのコイル管を設けて雨水の回収及び排出を行うようにした点が記載されている。また、特許文献３では、複数個の筒体を伸縮自在に連結した傘カバー部を備え、先端部に傘から滴る雨水を回収して適宜水抜きすることができる傘カバーが記載されている。また、特許文献４では、傘を閉じて石突きを下にして立てれば傘に付着した水滴が容器内に捕集されるとともに傘の開閉に伴って容器の開閉弁が自動的に開閉する傘の水滴捕捉用具が記載されている。
【特許文献１】実開昭５７−４０３１７号公報
【特許文献２】実開平６−１３３号公報
【特許文献３】登録実用新案第３０７２５９７号公報
【特許文献４】特開２００３−５２４３２号公報
【発明の開示】
【発明が解決しようとする課題】
【０００５】
上述した従来の雨水回収具では、例えば、特許文献１及び４のように傘を開かないと水が排出されない場合、雨が上がった後に水が溜まった状態で持ち歩かなければならず、傘を開くまで排出することができない。そして、自宅で傘を開いて干そうする際に排水されて再び傘が濡れてしまうおそれがある。また、特許文献２のようにコイル管を用いる場合には、傘を振ると溜まった水が不用意に排水されるおそれがあり、特許文献３の場合でも先端部に設けた水抜き装置を不用意に作動させると水が漏れてしまう。
【０００６】
そこで、本発明は、濡れた傘から滴る雨水を確実に回収して不用意な漏水を防止するとともに必要に応じて簡単に排水することができる傘用雨水回収具を提供することを目的とするものである。
【課題を解決するための手段】
【０００７】
本発明に係る傘用雨水回収具は、傘の石突側中棒が挿着される硬質材料からなる直管状の取付管と、前記取付管を中心軸に沿って内設するとともに中棒が挿着される側の端面が雨水の捕集面に形成された軟質材料からなる筒状の雨水回収容器と、前記雨水回収容器の前記捕集面に穿設された雨水流入口に設けられるとともに重力により弁体が開閉する回収弁機構と、前記捕集面とは反対側の端面に穿設された雨水排水口に設けられるとともに弁体が常時閉じた状態に付勢される排水弁機構とを備え、前記回収弁機構の前記弁体が閉じた状態で前記雨水回収容器を圧縮変形して内部の空気圧を高めることで前記排水弁機構の前記弁体が付勢力に抗して開いた状態となって排水されることを特徴とする。さらに、前記回収弁機構は、前記弁体を一端部に支持するとともに他端部に錘体が当接する当接部が形成された支持バーと、前記当接部との間で前記錘体を挟持するとともに前記錘体が自重により移動して所定位置に保持される受け部とを備えていることを特徴とする。さらに、前記排水弁機構の前記弁体は、前記雨水回収容器の中心軸とほぼ直交する方向に移動可能となるように設けられていることを特徴とする。さらに、前記雨水回収容器の前記捕集面を囲むように設けられるとともに中心軸に沿って移動可能に取り付けられた筒状のカバー体を備えていることを特徴とする。
【発明の効果】
【０００８】
本発明は、上記のような構成を備えることで、雨水回収容器の捕集面に穿設された雨水流入口に回収弁機構が設けられ、捕集面とは反対側の端面に穿設された雨水排水口に排水弁機構が設けられているので、雨水流入口から流入する雨水は確実に回収されて不用意に排水されることはない。
【０００９】
すなわち、傘の石突側中棒に取付管を挿着して中棒を下向きにすることで回収弁機構の弁体が重力で開いた状態となって、閉じた傘から中棒を伝って雨水流入口に集まり雨水回収容器内に確実に回収される。また、雨水排水口には排水弁機構が設けられて弁体が常時閉じた状態に付勢されているので、内部に溜まった水が不用意に排水されることはない。  そして、回収弁機構の弁体が閉じた状態で雨水回収容器を圧縮変形して内部の空気圧を高めることで排水弁機構の弁体が付勢力に抗して開いた状態となって排水されるので、軟質材料からなる雨水回収容器を手で把持して圧縮変形すれば内部に溜まった水を簡単に排水でき、手が水に濡れることもない。そのため、傘を閉じた状態で必要に応じて排水を行うことができ、容器内に水を溜めたままの状態で持ち歩かなくてもよくなる。
【００１０】
また、回収弁機構が、弁体を一端部に支持するとともに他端部に錘体が当接する当接部が形成された支持バーと、当接部との間で錘体を挟持するとともに錘体が自重により移動して所定位置に保持される受け部とを備えていることで、弁体を重力の作用により確実に開いた状態及び閉じた状態に保持することができるようになる。
【００１１】
また、排水弁機構の弁体が雨水回収容器の中心軸とほぼ直交する方向に移動可能となるように設けられていることで、傘の石突側中棒を取付管に挿着した状態で取付管の先端を地面に突いて歩く場合などで排水弁機構の弁体が不用意に移動して開いた状態となることを防止することができる。
【００１２】
また、雨水回収容器の捕集面を囲むように設けられるとともに中心軸に沿って移動可能に取り付けられた筒状のカバー体を備えることで、傘を閉じた状態でカバー体を傘を囲む位置に移動させて、傘を持って歩行する際に傘から滴る雨水ができるだけ周りに飛散しないようにカバーすることができる。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る雨水回収具１を取り付けた傘Ａの閉じた状態を示す全体図であり、図２は、図１に示す状態における雨水回収具１の概略断面図である。また、図３は、雨水回収具１を取り付けた傘Ａの開いた状態を示す全体図であり、図４は、図３に示す状態における雨水回収具１の概略断面図である。
【００１５】
雨水回収具１は、軟質の合成樹脂材料からなる円筒状の雨水回収容器２、硬質の合成樹脂材料からなる直管状の取付管３及び金属製又は硬質の合成樹脂材料からなる円筒状のカバー体４を備えている。
【００１６】
雨水回収容器２は、周面部２０の一方の端面に捕集面部２２が形成され、他方の端面に外面部２４が形成されており、中心部に軸方向に沿って管状の取付部２１が捕集面部２２及び外面部２４に接続一体化されて設けられている。捕集面部２２には、雨水流入口２３が穿設され、外面部２４には雨水排水口２５が穿設されており、雨水回収容器２には、これら２つの開口以外に内部と外部とを連通する開口は設けられておらず、密閉された空間が形成されている。
【００１７】
そして、周面部２０は手で把持することで圧縮変形できる程度の柔軟性を備えており、周面部２０に比べて捕集面部２２及び外面部２４は厚く形成されて変形しにくくなっている。捕集面部２２は、傘から滴る雨水を捕集しやすくするために、容器内部に向かってわずかに湾曲した形状に形成されており、捕集面部２２の表面に水が溜まることなく速やかに雨水流入口２３に流入するようになっている。
【００１８】
取付管３は、雨水回収容器２の取付部２１内を貫通するように挿着されており、取付部２１の内径よりも大きい外径を備えているため取付部２１内が圧着した状態となって抜け落ちることはない。また、雨水回収容器２の周面部２０は軟質材料からなるため変形しやすいが、取付管３を挿着することで軸方向に変形するのを防止することができる。
【００１９】
取付管３は円筒状に形成され、外面部２４から突出した先端部は傘の石突と同様の形状で閉鎖されている。そして反対側の端部は開口されて傘の石突側中棒Ａ１が挿着されるようになっている。取付管３の内面にはゴム製の筒体３０が接着されており、挿入された傘の中棒Ａ１が筒体３０により圧着した状態で保持される。
【００２０】
カバー体４は、雨水回収容器２の外径よりも大きい内径を有するように形成されており、内周面の一方の端部に環状に突出した係止部４０が形成され、他方の端部には環状に突出したストッパ４１が形成されている。そして、図２に示すように、係止部４０が雨水回収容器２の周面部２０の外周面を摺動してカバー体４が軸方向に移動可能に取り付けられている。係止部４０は断面Ｌ字状に形成され、カバー体４が傘の方に引き上げられて摺動すると、雨水回収容器２の捕集面部２２の外周に突出形成された環状の係止部２６に噛み合うようにして係止される。図２に示す状態では、カバー体４は捕集面２２を囲むように保持されるとともに傘Ａの下部を覆うことで傘Ａから滴る水滴が飛散しないようにカバーする。また、係止部２６及び４０は水密に噛み合って保持されるので、噛み合い部分から雨水が漏出することはない。
【００２１】
図４に示すように、カバー体４を外面部２４に向かって摺動させると、ストッパ４１が係止部２６に当接して保持されるようになる。カバー体４が雨水回収容器２の外周を覆う状態にして傘を開けば、カバー体４が邪魔になることはない。
【００２２】
雨水回収容器２の内部には、雨水流入口２３に嵌め込まれた回収弁機構５０を備えており、雨水排水口２５には外部から排水弁機構６０が取り付けられている。
【００２３】
図５は、回収弁機構５０に関する拡大断面図である。回収弁機構５０は、円筒状の本体部５１の上部に漏斗状の回収面部５２が形成されており、その中心部に開口５２ａが穿設されている。また本体部５１の周面には外部と連通する開口５１ａが穿設されている。本体部５１の中心部には軸方向に沿って支持バー５３が摺動可能に保持されている。支持バー５３の一方の端部には球状の弁体５４が一体形成されており、他方の端部には曲面状に形成された当接部５５が一体形成されている。
【００２４】
支持バー５３の中央部分はガイド部５６を貫通して保持され軸方向に摺動するようになっており、支持バー５３に突出形成されたストッパ５３ａがガイド部５６の内面に当接することで支持バー５３は軸方向に所定範囲だけ摺動することができる。ガイド部５６内の支持バー５３にはコイルバネ５７が挿着されており、コイルバネ５７はストッパ５３ａを下方に移動させるように付勢する。
【００２５】
本体部５１の下部には、球状の錘体５８を収容するドーム状の受け部５９が設けられており、支持バー５３の端部に形成された当接部５５が受け部５９内に突出して当接部５５の下面と受け部５９の内底面との間に錘体５８が挟持されるようになっている。受け部５９の内底面には、錘体５８が転動して嵌り込む複数の窪み５９ａが形成されており、中心部の窪みが最も低い位置に形成され残りの窪みが周辺部において高い位置に形成されている。そして、当接部５５は、すべての窪み５９ａに対向する位置まで延設されている。
【００２６】
本体部５１の底部には通水口５１ｂが穿設されており、受け部５９にも通水口５９ｂが穿設されている。これらの通水口５１ｂ及び５９ｂにより受け部５９内に雨水が流入又は流出することができる。
【００２７】
支持バー５３が開口５２ａに向かって摺動した場合、支持バー５３の端部に設けられた弁体５４が開口５２ａに密接して嵌合するようになる。その際、ガイド部５６内のコイルバネ５７が支持バー５３のストッパ５３ａとガイド部５６の内面との間で圧縮状態となり、支持バー５３を開口５２ａから離間する方向に付勢力が働くようになる。
【００２８】
図６は、排水弁機構６０に関する拡大断面図である。排水弁機構６０は、筒状の本体部６１内に球状の弁体６２が圧縮バネ６３により常時付勢された状態で保持されている。本体部６１の一方の端部には取付部６１ａが突設されており、取付部６１ａを雨水回収容器２の底部に穿設された雨水排水口２５に嵌め込むことで排水弁機構６０が雨水回収容器２に取り付けられる。取付部６１ａ内の連通路の出口には弁体６２が押し当てられて常時閉じた状態に保持される。本体部６１の底部には排出口６１ｂが穿設されており、弁体６２が開くと、取付部６１ａ内から雨水が流入して排出口６１ｂから排水されるようになる。
【００２９】
図７は、雨水回収具に関する一部断面斜視図である。回収弁機構５０は、捕集面部２２の雨水流入口２３に嵌め込まれて密着固定される。排水弁機構６０は、外部から雨水排水口２５に嵌め込まれて取り付けられる。
【００３０】
図８は、図１に示すように、石突き側中棒Ａ１に取り付けられた雨水回収具１が閉じた傘の下側に位置する場合の雨水回収具の内部を示す断面図である。この場合には、カバー体４が上方に引き上げられて傘の下側の周囲を覆うように配置されて水滴の飛散を防止し、捕集面部２２の上面に滴る雨水が集められる。そして、回収弁機構５０内では、錘体５８が自重により最も低い位置にある中心部の窪み５９ａに嵌り込み、それに伴い支持バー５３の当接部５５は錘体５８に当接しながら下降するようになる。そのため支持バー５３が下方に移動して弁体５４が開口５２ａから離間して開いた状態となる。開口５２ａが開くと、捕集面部２２の上面に溜まった雨水が流れ込み、回収弁機構５０内から開口５１ａを経由して雨水回収容器２内に流入するようになる。いっぽう、排水弁機構６０の弁体６２は常時付勢されて閉じた状態となっているため、傘から滴る雨水は容器内に回収されて外部に漏出することはない。
【００３１】
図９は、容器内に雨水が溜まった状態で、図３に示すように傘を開いた場合の断面図である。この場合には、図８に示す状態から上下が逆になるため、回収弁機構５０内の錘体５８が自重で移動して周辺部の窪み５９ａに嵌り込むようになる。それに伴い当接部５５は錘体５８に押されて下降するため支持バー５３が下方に移動して弁体５４が開口５２ａに嵌合して密着し、閉じた状態となる。そのため、開口５２ａから内部に溜まった雨水が不用意に排出されることはなくなる。
【００３２】
図１０及び図１１は、容器内部に溜まった雨水を排水するための過程を示す断面図である。排水する場合には、図１に示す状態から雨水排水口２５が下側となるようにして傾斜した状態で保持する。この傾斜した状態では、回収弁機構５０内の錘体５８は自重で移動して周辺部の窪み５９ａに嵌り込み、それに伴い当接部５５は錘体５８に押されて上昇するため支持バー５３が上方に移動して弁体５４が開口５２ａに嵌合して密着し、閉じた状態となる。回収弁機構５０の弁体５４が閉じた状態で、図１０に示すように、雨水回収容器２の周面部を手で把持して圧縮変形させると内部の空気圧が高まり、排水弁機構６０内の弁体６２が圧縮バネ６３の付勢力に抗して開口から離間し、内部に溜まった雨水が雨水排水口２５から流れ込み、排水弁機構６０内を通って排出口６１ｂから排出されるようになる。
【００３３】
こうして容器を圧縮変形して強制的に排水を行うことができるので、必要に応じて排水を行うことが可能となり、容器内に水が溜まったまま傘を持ち歩くといったことを避けることができる。また、傘から取り外して排水し別の傘で使用することも簡単に行うことができ、公共施設等で多数の人が使い回しする場合に好適である。
【００３４】
また、排水弁機構６０の弁体６２が雨水回収容器２の中心軸とほぼ直交する方向に移動可能となるように設けられているので、傘の石突側中棒を取付管３に挿着した状態で取付管３の先端を地面に突いて歩く場合などで弁体６２に取付管３の軸方向の衝撃が加わっても不用意に移動して開いた状態となることはない。
【００３５】
図１１は、回収弁機構５０に関する変形例を示す断面図である。この例では、球状の弁体の代わりに傘状の弁体５４’を用いている。こうした弁体を用いることで、ゴミの付着が少なくなり、また排水時に内部が高圧になった際に確実に閉じた状態とすることができる。それに伴い弁体５４’の形状に合せて開口５２ａの周囲もテーパ状に傾斜した状態に形成されている。また、回収面部５２の上面には螺旋状の溝５２ｂが複数形成されており、溝５２ｂを伝って開口５２ａに雨水が速やかに回収されるようになっている。こうした螺旋状の溝構造を伝って形成される水流は流入管内において渦巻状に流下するようになるため、渦巻きの中心部分から空気がスムーズに流出するようになり、雨水と容器内の空気の入替りがスムーズに行われる。したがって、雨水の流入に伴う排気口を別途設ける必要がなく、流入管も細くすることができ、錘体５８の重量による圧力でも弁体５４’を止水状態に保持することが可能となり、回収弁機構５０をより小型化することができる。
【００３６】
また、支持バー５３の端部に設けられた当接部５５’は平板状に形成されており、錘体５８の移動による可動範囲が広くなるようにされている。
【００３７】
なお、回収弁機構５０から排水時に完全に閉じた状態とするために、開口５２ａから内部に連通する通路に止水バルブを配設するようにしてもよい。配設された止水バルブは歯車等の伝達機構により外部から操作可能にすればよい。
【図面の簡単な説明】
【００３８】
【図１】本発明に係る雨水回収具を取り付けた傘の閉じた状態を示す全体図である。
【図２】図１に示す状態における雨水回収具の概略断面図である。
【図３】本発明に係る雨水回収具を取り付けた傘の開いた状態を示す全体図である。
【図４】図３に示す状態における雨水回収具の概略断面図である。
【図５】回収弁機構に関する拡大断面図である。
【図６】排水弁機構に関する拡大断面図である。
【図７】雨水回収具に関する一部断面斜視図である。
【図８】雨水回収具の内部を示す断面図である。
【図９】雨水回収具の内部を示す断面図である。
【図１０】容器内部に溜まった雨水を排水するための過程を示す断面図である。
【図１１】容器内部に溜まった雨水を排水するための過程を示す断面図である。
【図１２】回収弁機構に関する変形例を示す断面図である。
【符号の説明】
【００３９】
１    雨水回収具
２    雨水回収容器
20    周面部
21    取付部
22    捕集面部
23    雨水流入口
24    外面部
25    雨水排水口
３    取付管
４    カバー体
50    回収弁機構
53    支持バー
54    弁体
55    当接部
58    錘体
59    受け部
60    排水弁機構
62    弁体
63    圧縮バネ
【図１】
2008284123.tif 000003
【図２】
2008284123.tif 000004
【図３】
2008284123.tif 000005
【図４】
2008284123.tif 000006
【図５】
2008284123.tif 000007
【図６】
2008284123.tif 000008
【図７】
2008284123.tif 000009
【図８】
2008284123.tif 000010
【図９】
2008284123.tif 000011
【図１０】
2008284123.tif 000012
【図１１】
2008284123.tif 000013
【図１２】
2008284123.tif 000014